(57)【要約】      （修正有）【課題】駒をプレート状にして色表示面は大きく見せて抜き取りやすく転色しやすく、製作コストの低いゲーム機を提供する。【解決手段】立体的な駒でなく２枚のプレート５、６で４色を表し中央に穴を開け、その下にその穴に嵌る突起ｂの付いたプレートより小さい台座ベース４を位置させプレートを置き乗せることで１個の駒とする。プレートの角部を上から指で押すと反対側が浮き上がりそこを掴み取れば、駒をほぼ密に置いても楽に抜き取れる構造であり、駒全体を反転させれば台座ベースによりプレートの数字も見えなくなり駒を容易に分配でき、更にプレートは２枚組なので他の駒のプレートと交換も可能でありその分楽しみ方も増える。【選択図】図４
0003207809.tif 000002
【実用新案登録請求の範囲】
【請求項１】
サイコロ状の駒の代わりに、２枚のプレートの表裏で４色を表し中央に穴を開けその脇に個別の番号を付け、２枚を受け入れるのに上に突起が付き受面が角型で対角がプレートより小さい（丸形も可能）稜線部がＣ面になった台座ベースをプレートに対し４５°回して下にして上下を組み駒１個とし、駒をほぼ密に置いた時、プレートの角部を上から押したとき反対側が浮き上がりそこを指で掴めば簡単に２枚のプレートを抜き取れ楽に転色出来る物であり、ゲーム開始時は駒全体をを反転させ台座ベースを上にすれば台座の角部で駒プレートの数字が隠れ公平に駒を分配でき、更に駒プレートは他の駒プレートと交換でき、その駒群と平状になった盤で楽しく遊べるゲーム器。
【請求項２】
色プレート、機能は請求項１と同じで台座ベース（８）が丸形の物
【考案の詳細な説明】
【技術分野】
【０００１】  本考案は２人から４人まで各持ち色を決めて数字の大小により優劣を決めて駒を転色していくゲーム器に関する物である。
【背景技術】
【０００２】  このゲーム器は古来から発達して来た日本独特の鋏将棋や日本人の開発したオセロゲームの様に自分の持ち駒で相手の駒を挟んで自分の色駒にしていくと言う理念を用いている。
【先行技術文献】
【実用新案文献】
【０００３】  実用新案広告番号  平４−５００６０号の六面体駒色計算ゲーム器の新案登録文献  実用新案登録番号  第３２０２４９６号  プレートで構成する４色表示駒とゲーム器
【考案の概要】
【考案が解決しようとする課題】
【０００４】  以前開発した駒は立方体物の６面に彩色するか、又は上下と横４面のプレートを組んで駒形にし接着固定する物であったが、駒の立体的組み付け作業はやはり製作に大変な所がある。これを駒の機能を持ちつつ将棋の駒や碁石の様にぐっと平面化したい。そうすると駒の制作も容易で駒色も見やすくプレイしやすい。又駒の中の色プレートの数字Ｎｏ．を複数持つと駒の働きが増し新たなゲームも出来る。
【課題を解決する為の手段】
【０００５】  課題を解決する為に駒一個分を２枚のプレートの表裏に各異なる色を付け計４色で表し２枚には表裏に同じ番号を付けてプレート１組としプレート中央に穴を開け、そこに嵌る突起が付いた台座ベースを下に組み敷いて１個の駒とする。そうするとこの駒群をほぼ密に並べても駒プレートの角辺を上から押すことによって反対側が浮き上がりそこを掴み取れば簡単に抜き取れ上下プレートをを容易に反転して転色出来る。２枚のプレートは同色であれば他の駒のプレートと組み替え自由であり１個に１ツの数字をを持つ駒より更に面白いゲームが出来る。
【図面の簡単な説明】
【０００６】
【図１】  本新案駒プレートの上面図
【図２】  偉Ｎｏ．プレートで１組になった分離側面図
【図３】  台座ベースに別組プレートを４５°回しセットした駒１の上面図
【図４】  その正面側面図
【図５】  丸形の台座ベースの上面図
【本新案を実施する為の駒の形態】
【０００７】  図１は本新案の駒１の２枚組プレートの上プレート２の平面図で色はＡ色（赤色）で中央に穴ａが空いている。穴の両サイドに個を分ける番号が付き今Ｎｏ．１１が付き裏面はＢ（白）色が付き同番号が付く。図２は分離した１セットの上下プレートを示しその側面図で下プレート３も同形で上にＣ（青）色、裏にＤ（黄色）色が付き、今表裏がＮｏ．１２の物で６×６目の盤を使えば、上プレート３６枚、下プレート３６枚計７２枚になり上下のプレートに数字Ｎｏ．１〜３６がつく。上下プレートの数字の組み合せは自由で様々な駒が出来てこのセットされた駒群と平盤でゲームする。７×７目の盤だったらプレートの枚数は４９枚×２の９８枚となる。（４人で分配する際は最後のカード２枚は無番のプレート７を使う。）
【０００８】    図３は台座ベース４を下に上プレート５（Ｎｏ．１３）と下プレート６（Ｎｏ．１４）が乗って駒１となる処を示す。図４はその正面側面図で台座ベース４は上にプレートの横ずれを防ぐ突起ｂが有り２枚のプレートを嵌め込む。、プレートを乗せる角形の台座（丸形の台座ベース８でも可能）はプレートに対し４５°回転しており周にカットｄがあるので駒をほぼ密に並べた時、プレートの角部ｃを上から押せば対角の反対側が浮き上がりそこを指で掴めば簡単に突起部ｂからプレート２枚が抜き取れ掴み持つ事が出来、色を転色出来る。またゲーム開始時に駒を２〜４人で等分に分配する際、駒を反転させ台座ベース４を上にすれば角部ｅでプレートに付く数字Ｎｏ．が隠れて見えず駒を公平に等分に分けゲームする事が出来る。図５は丸形の台座ベース８で角型の辺長よりやや径が大きい。
【０００９】    ２枚の色プレートの数字Ｎｏ．と盤の升目の組み合わせは自由性が有り、似たような麻雀とかナンプレゲームの出来る様な赤色の１〜９が４セット（盤一面赤色になる）、裏に白の１〜９が４セットで３６枚、青の１〜９で４セット、裏面に黄色の１〜９で４セットで３６枚にするとか、７×７目盤であれば似たようなトランプゲームも出来るような赤色の１〜１２（１〜１０＋キング、クイーン）が４セット、裏の白色の１〜１２が４セットで４８枚、別プレートの青の１〜１２が４セット、裏面の黄色の１〜１２で４セットで４８枚で計９６枚と成る様な物でもよい。これらの様な駒群と平盤でゲームする。
【符号の説明】
【０００１０】１  本新案、駒１
２  Ａ，Ｂ色（赤、白色）の上プレート１（Ｎｏ．１１）
３  Ｃ，Ｄ色（青、黄色）の下プレート１（Ｎｏ．１２）
４  台座ベース
５  Ａ、Ｂ色（赤、白色）の上プレート２（Ｎｏ．１３）
６  Ｃ，Ｄ色（青、黄色）の下プレート２（Ｎｏ．１４）
７  無番のプレート（２枚）
８  丸い形の台座ベース
ａ  プレートの位置決め受け穴
ｂ  台座ベース突起部
ｃ  色プレートコーナー部（ここを押すと反対側が浮き上がる。）
ｄ  台座面取り部
ｅ  台座ベース角部
【図１】
0003207809.tif 000003
【図２】
0003207809.tif 000004
0003207809.tif 000005
【図５】
0003207809.tif 000006
【手続補正書】
【提出日】平成28年9月2日(2016.9.2)
【手続補正１】
【補正対象書類名】実用新案登録請求の範囲
【補正対象項目名】全文
【補正方法】変更
【補正の内容】
【実用新案登録請求の範囲】
【請求項１】
サイコロ状の駒の代わりに、２枚のプレートの表裏で４色を表し中央に穴を開けその脇に個別の番号を付け、２枚を受け置くのに上に突起が付き受面が丸型で径がプレートの辺より小さく下の稜線部がＣ面になった台座ベースを下にして組み、駒１個分とし、駒をほぼ密に置いた時、色プレートの辺部を押したとき反対側が浮き上がりそこを指で掴めば簡単に２枚のプレートを抜き取れ、楽に色替えが出来き、ゲーム開始時は駒全体をを反転させ台座ベースを上にすれば台座の受け面で駒プレートの数字を隠し公平に駒を分配でき、更に駒プレートは他と交換でき、その駒群と平状になった盤で楽しく遊べるゲーム器。
【手続補正２】
【補正対象書類名】図面
【補正対象項目名】全図
【補正方法】変更
【補正の内容】
【図１】
0003207809.tif 000007
【図２】
0003207809.tif 000008
【図３】
0003207809.tif 000009
【図４】
0003207809.tif 000010
【手続補正３】
【補正対象書類名】明細書
【補正対象項目名】０００６
【補正方法】変更
【補正の内容】
【０００６】
【図１】本新案駒プレートの上平面図
【図２】異Ｎｏ．で１組になったプレートの分離側面図
【図３】台座ベースに別プレートをセットした駒１の断面側面図
【図４】台座ベースを上にして見た図
【手続補正４】
【補正対象書類名】明細書
【補正対象項目名】０００８
【補正方法】変更
【補正の内容】
【０００８】  図３は台座ベース４に上プレート５（Ｎｏ．１３）と下プレート６（Ｎｏ．１４）が乗って駒１となる処を示す。台座ベース４は上にプレートの横ずれを防ぐ突起ｂが有り２枚のプレートを位置決めする。プレートを乗せる丸形の台座は下部に穴ｃが開き、周に面取り部ｄがあるので駒をほぼ密に並べた時、プレートの角部を上から押せば対角の反対側が浮き上がりそこを指で掴めば簡単に突起部ｂからプレート２枚が抜き取れ掴み持つ事が出来、２枚を差し替え、反転して４色に容易に転色出来る。また盤ｆが台座ベースの４の底部だけ窪んでいればプレートを抜き出し時に滑りずらい。駒を２〜４人で分配する際、図４の如く駒を反転させ台座ベース４を上にすれば外周部ｅでプレートに付く数字Ｎｏ．が隠れて見えず駒を公平に等分に分けゲームする事が出来る。
【手続補正５】
【補正対象書類名】明細書
【補正対象項目名】００１０
【補正方法】変更
【補正の内容】
【００１０】  １  本新案、駒１
２  Ａ，Ｂ色（赤、白色）の上プレート１（Ｎｏ．１１）
３  Ｃ，Ｄ色（青、黄色）の下プレート２（Ｎｏ．１２）
４  丸形の台座ベース
５  Ａ、Ｂ色（赤、白色）の上プレート３（Ｎｏ．１３）
６  Ｃ，Ｄ色（青、黄色）の下プレート４（Ｎｏ．１４）
７  無番のプレート（２枚）
ａ  プレートの位置決め受け穴
ｂ  台座ベース突起部
ｃ  台座ベース下部穴
ｄ  台座面取り部
ｅ  台座ベース外周部
ｆ  盤